(57)【要約】【課題】  マルチディスプレイを構成する一部の表示装置が故障した場合において、重要な情報を提示できなくなることを防止する。【解決手段】  重要度設定部（４１）は、複数の表示装置の各々が表示する画像の重要度を設定し、故障検知部（４２）は、複数の表示装置が故障したことを検知し、表示改変部（４３）は、マルチディスプレイの一部の表示装置が故障したこと場合、画像ごとの重要度に応じて、故障していない表示装置が表示する画像を改変する。【選択図】  図１０
2020013016.tif 000002
【特許請求の範囲】
【請求項１】
複数の表示装置で構成されるマルチディスプレイを制御する表示制御装置であって、
前記複数の表示装置の各々が表示する画像の重要度を設定する重要度設定手段と、
前記複数の表示装置が故障したことを検知する故障検知手段と、
前記マルチディスプレイの一部の表示装置が故障したことを前記故障検知手段が検知した場合、前記重要度設定手段が設定した前記画像の重要度に応じて、故障していない表示装置が表示する画像を改変する表示改変手段と
を備えた表示制御装置。
【請求項２】
前記表示改変手段は、故障していない表示装置が表示していた重要度の低い画像に代えて、故障した表示装置が表示していた重要度の高い画像を表示する
ことを特徴とする請求項１に記載の表示制御装置。
【請求項３】
前記重要度設定手段は、前記マルチディスプレイ上において前記画像が表示される位置に応じて、前記重要度を設定する
ことを特徴とする請求項１または２に記載の表示制御装置。
【請求項４】
前記重要度設定手段は、
複数の画像のグループごとに、前記重要度を設定し、
前記表示改変手段は、同じグループに属する画像の一部のみが表示されることがないように、故障していない表示装置が表示する画像を改変する
ことを特徴とする請求項１から３のいずれか１項に記載の表示制御装置。
【請求項５】
前記故障検知手段は、定期的にポーリングを実施することによって、前記マルチディスプレイを構成する表示装置ごとに、故障の有無を判定する
ことを特徴とする請求項１から４のいずれか１項に記載の表示制御装置。
【請求項６】
複数の表示装置で構成されるマルチディスプレイを制御する表示制御方法であって、
前記複数の表示装置の各々が表示する画像の重要度を設定することと、
前記複数の表示装置が故障したことを検知することと、
前記マルチディスプレイの一部の表示装置が故障したことを検知した場合、前記設定した前記画像の重要度に応じて、故障していない表示装置が表示する画像を改変することと
を含む表示制御方法。
【請求項７】
複数の表示装置で構成されるマルチディスプレイをコンピュータによって制御するためのプログラムであって、
前記複数の表示装置の各々が表示する画像の重要度を設定することと、
前記複数の表示装置が故障したことを検知することと、
前記マルチディスプレイの一部の表示装置が故障したことを検知した場合、前記設定した前記画像の重要度に応じて、故障していない表示装置が表示する画像を改変することと
をコンピュータに実行させるためのプログラム。
【発明の詳細な説明】
【技術分野】
【０００１】
本発明は、例えば、マルチディスプレイシステムを制御する技術に関する。
【背景技術】
【０００２】
マルチディスプレイシステムでは、複数の表示装置が、疑似的な一つの大きな画面（以下、マルチディスプレイと呼ぶ）を構成する。例えば、マルチディスプレイは、空港内において、フライト発着表を表示する。その他、消防本部の指令台や電力系統の監視室でも、マルチディスプレイは使用される。
【０００３】
図１２は、関連する技術におけるマルチディスプレイ８００の一例を示す。図１２に示す例では、９つの表示装置８０１〜８０９が、マルチディスプレイ８００を構成している。マルチディスプレイ８００は、９つの表示装置８０１〜８０９がそれぞれ表示する複数の部分画像からなる一つの画像を表示する。
【０００４】
図１２に示す複数の表示装置８０１〜８０９のうちの一部が故障した場合、マルチディスプレイ８００が表示する画像の一部が欠落する。その結果、マルチディスプレイ８００は、重要な情報を提示することができなくなる可能性がある。
【０００５】
特許文献１には、マルチディスプレイを構成する複数の表示装置の一部が故障した場合、故障した表示装置を使用しないように、マルチディスプレイが表示する画像を変更する技術が記載されている。
【先行技術文献】
【特許文献】
【０００６】
【特許文献１】特開２０１８−００４８０９号公報
【発明の概要】
【発明が解決しようとする課題】
【０００７】
しかしながら、特許文献１に記載の技術では、どの表示装置が故障した場合であっても対応できるように、多数の画像のデータを予め生成する必要がある。
【０００８】
本発明の目的は、マルチディスプレイを構成する一部の表示装置が故障した場合に、表示を簡単に改変することによって、重要な情報を提示できなくなることを防止することにある。
【課題を解決するための手段】
【０００９】
本発明の一態様に係わる表示制御装置は、複数の表示装置で構成されるマルチディスプレイを制御する表示制御装置であって、前記複数の表示装置の各々が表示する画像の重要度を設定する重要度設定手段と、前記複数の表示装置が故障したことを検知する故障検知手段と、前記マルチディスプレイの一部の表示装置が故障したことを前記故障検知手段が検知した場合、前記重要度設定手段が設定した前記画像の重要度に応じて、故障していない表示装置が表示する画像を改変する表示改変手段とを備えている。
【００１０】
本発明の一態様に係わる表示制御方法は、複数の表示装置で構成されるマルチディスプレイを制御する表示制御方法であって、前記複数の表示装置の各々が表示する画像の重要度を設定することと、前記複数の表示装置が故障したことを検知することと、前記マルチディスプレイの一部の表示装置が故障したことを検知した場合、前記設定した前記画像の重要度に応じて、故障していない表示装置が表示する画像を改変することとを含む。
【００１１】
本発明の一態様に係わるプログラムは、複数の表示装置で構成されるマルチディスプレイをコンピュータによって制御するためのプログラムであって、前記複数の表示装置の各々が表示する画像の重要度を設定することと、前記複数の表示装置が故障したことを検知することと、前記マルチディスプレイの一部の表示装置が故障したことを検知した場合、前記設定した前記画像の重要度に応じて、故障していない表示装置が表示する画像を改変することとをコンピュータに実行させる。
【発明の効果】
【００１２】
本発明の一態様によれば、マルチディスプレイを構成する一部の表示装置が故障した場合において、重要な情報を提示できなくなることを防止することができる。
【図面の簡単な説明】
【００１３】
【図１】実施形態１に係わるマルチディスプレイシステムの構成を示すブロック図である。
【図２】実施形態１に係わるマルチディスプレイが表示する全体画像の一例を示す図である。
【図３】全体画像を構成する各部分画像に設定されている重要度の一例を示す図である。
【図４】実施形態１に係わる表示制御装置が実行する処理の流れを示すフローチャートである。
【図５】マルチディスプレイを構成する表示装置の一部が故障したときの全体画像の構成の一例を示す。
【図６】マルチディスプレイを構成する表示装置の一部が故障したときに表示される全体画像の一例を示す。
【図７】実施形態２に係わるマルチディスプレイが表示する全体画像の例を示す図である。
【図８】全体画像を構成する各部分画像に設定されている重要度の他の一例を示す図である。
【図９】表示形態を改変された全体画像を示す。
【図１０】実施形態３に係わる表示制御装置の構成を示すブロック図である。
【図１１】実施形態４に係わる表示制御装置のハードウェア構成を示す図である。
【図１２】関連する技術において、マルチディスプレイが表示する画像の一例を示す図である。
【発明を実施するための形態】
【００１４】
〔実施形態１〕
図１〜図５を参照して、一実施形態について説明する。
【００１５】
（マルチディスプレイシステム１）
図１を参照して、本実施形態に係わるマルチディスプレイシステム１の構成を説明する。図１は、マルチディスプレイシステム１の構成を示すブロック図である。
【００１６】
図１に示すように、マルチディスプレイシステム１は、表示制御装置１０、重要度記憶装置２０、画像データ記憶装置３０、およびマルチディスプレイ１００を備えている。
【００１７】
（マルチディスプレイ１００）
図１に示すように、マルチディスプレイ１００は、９つの表示装置１０１〜１０９で構成されている。しかしながら、マルチディスプレイ１００は、より多くのまたはより少ない表示装置を備えていてもよい。マルチディスプレイ１００を構成する表示装置１０１〜１０９は、それぞれ、表示制御装置１０によって制御される。
【００１８】
本実施形態では、マルチディスプレイ１００は、静止画を表示する。表示装置１０１〜１０９はそれぞれ、マルチディスプレイ１００が表示する静止画の一部を表示する。以下では、マルチディスプレイ１００が表示する画像を全体画像と呼び、表示装置１０１〜１０９の各々が表示する画像を部分画像と呼ぶ。
【００１９】
図２は、表示装置１０１〜１０９がいずれも故障していないとき、マルチディスプレイ１００が表示する全体画像Ｄ００の一例を示す。図２において、符号ｄ１〜ｄ９は、表示装置１０１〜１０９がそれぞれ表示する部分画像を表している。部分画像ｄ１〜ｄ９のデータは、その部分画像を表示する表示装置１０１〜１０９を示す情報とともに、画像データ記憶装置３０に格納されている。
【００２０】
（重要度）
図３は、図２に示す全体画像Ｄ００を構成する部分画像ｄ１〜ｄ９の重要度を示す。マルチディスプレイ１００を構成する表示装置１０１〜１０９の一部が故障した場合、本実施形態に係わる表示制御装置１０は、重要度の高い部分画像ほど、優先的にマルチディスプレイ１００に表示させる。
【００２１】
図３に示すように、全体画像Ｄ００を構成する部分画像ｄ１〜ｄ６の重要度は「高」であり、部分画像ｄ７〜ｄ９の重要度は「低」である。例えば、重要度「高」の情報は数値の１に対応し、重要度「低」の情報は数値の０に対応する。重要度「高」を付与された部分画像ｄ１〜ｄ６をグループＡと呼び、重要度「低」を付与された部分画像ｄ７〜ｄ９をグループＢと呼ぶ。
【００２２】
本実施形態では、部分画像ｄ１〜ｄ９には、「高」および「低」の２段階の重要度のいずれかがそれぞれ設定されている。しかしながら、部分画像ｄ１〜ｄ９には、３段階以上のレベルの重要度のいずれかがそれぞれ設定されていてもよい。重要度記憶装置２０は、部分画像ｄ１〜ｄ９の各々に設定された重要度の情報を、部分画像ｄ１〜ｄ９のデータと対応付けて記憶している。
【００２３】
（表示制御装置１０）
図１に示すように、表示制御装置１０は、故障検知部１１、重要度設定部１２、表示改変部１３、および表示データ送信部１４を備えている。
【００２４】
表示制御装置１０は、有線または無線の任意のネットワークを介して、マルチディスプレイ１００、重要度記憶装置２０、および画像データ記憶装置３０と、それぞれ接続している。表示制御装置１０は、画像データ記憶装置３０から部分画像ｄ１〜ｄ９のデータを取得する。表示制御装置１０は、取得した部分画像ｄ１〜ｄ９のデータを、対応する表示装置１０１〜１０９にそれぞれ表示させる。
【００２５】
マルチディスプレイ１００を構成する表示装置１０１〜１０９のうちの一部が故障した場合、表示制御装置１０は、故障した部分画像の重要度に応じて、マルチディスプレイ１００が表示する全体画像を改変する。
【００２６】
（表示制御処理）
マルチディスプレイ１００を構成する表示装置１０１〜１０９のうちの一部が故障した場合、表示制御装置１０は、故障した部分画像の重要度に応じて、マルチディスプレイ１００が表示する全体画像を改変する。
【００２７】
図４を参照して、表示制御装置１０の各部が実行する表示制御処理の流れを説明する。図４は、表示制御処理の流れを示すフローチャートである。
【００２８】
図４に示すように、故障検知部１１は、定期的に、マルチディスプレイ１００を構成する表示装置１０１〜１０９の各々のヘルスチェックを行う（Ｓ１）。
【００２９】
具体的には、故障検知部１１は、マルチディスプレイ１００を構成する表示装置１０１〜１０９に、それぞれＩＰ（Internet Protocol）アドレスを割り当てた後、表示装置１０１〜１０９の各々に対するポーリング動作を定期的に行う。
【００３０】
故障検知部１１は、ステップＳ１におけるヘルスチェックの結果に基づいて、表示装置１０１〜１０９の各々が故障しているかどうかを判定する。故障検知部１１がいずれの表示装置１０１〜１０９の故障も検知しなかった場合（Ｓ２でＮｏ）、フローはステップＳ１に戻る。
【００３１】
一方、故障検知部１１が、複数の表示装置１０１〜１０９のうち少なくとも一つが故障していることを検知した場合（Ｓ２でＹｅｓ）、表示改変部１３は、画像データ記憶装置３０を参照して、故障した表示装置が表示していた部分画像を特定する。そして、表示改変部１３は、重要度記憶装置２０を参照して、特定した部分画像の重要度を検出する（Ｓ３）。
【００３２】
ここでは、図２に示すマルチディスプレイ１００の右上の表示装置１０３が故障しているとする。この場合、故障した表示装置１０３は、部分画像ｄ３を表示することができない。
【００３３】
表示改変部１３は、重要度記憶装置２０を参照して、故障した表示装置１０３が表示していた部分画像ｄ３の重要度を検出する。部分画像ｄ３の重要度が高い場合（Ｓ４でＮｏ）、表示改変部１３は、マルチディスプレイ１００が表示できない部分画像ｄ３を含む、同じ重要度を有する部分画像ｄ１〜ｄ６からなるグループＡの表示領域を、マルチディスプレイ１００内で移動させることによって、全体画像Ｄ００を改変する（Ｓ５）。
【００３４】
図５は、表示改変部１３がパターンにしたがって生成した全体画像Ｄ０１の一例を示す。図５に示す全体画像Ｄ０１は、部分画像ｄ１〜ｄ６を含む。表示装置１０１、１０２の表示領域ｄ１１、ｄ１２は、後述する補足情報を表示するための領域である。全体画像Ｄ０１において、部分画像ｄ１〜ｄ６の表示領域の位置は、マルチディスプレイ１００における表示装置１０４〜１０９の位置と対応している。すなわち、図５に示すパターンは、マルチディスプレイ１００における表示装置１０４〜１０９の表示領域と対応する。
【００３５】
ステップＳ５の後、表示改変部１３は、改変された全体画像Ｄ０１に含まれる部分画像ｄ１〜ｄ６の重要度の合計値を計算する（Ｓ６）。図５に示す全体画像Ｄ０１では、６つの部分画像ｄ１〜ｄ６の重要度の合計値は６である（重要度「高」の情報が値１と対応する場合）。
【００３６】
表示改変部１３は、ステップＳ５において、グループＡに含まれる部分画像ｄ１〜ｄ６の表示領域を移動させるとき、別のパターンが存在するかどうか判定する（Ｓ７）。
【００３７】
別のパターンが存在する場合（Ｓ７でＹｅｓ）、フローはステップＳ５に戻る。そして、表示改変部１３は、改変された全体画像の別のパターンを構成する部分画像の重要度の合計値を計算する。
【００３８】
一方、改変された全体画像に別のパターンが存在しない場合（Ｓ７でＮｏ）、表示改変部１３は、全てのパターンの中から、部分画像の重要度の合計値が最も大きくなる１つのパターンを選択する（Ｓ８）。部分画像の重要度の合計値が最も大きくなる複数のパターンが存在する場合、表示改変部１３は、その中の一つのパターンを任意の方法で選択する。ここでは、表示データ送信部１４は、全体画像Ｄ０１をマルチディスプレイ１００に表示させるパターンを選択したとする。
【００３９】
なお、ステップＳ８において、いずれのパターンも、部分画像の重要度の合計値が全体画像Ｄ００と同じかそれよりも小さい場合、表示改変部１３は、全体画像を改変する代わりに、全体画像Ｄ００を縮小してもよい。例えば、表示改変部１３は、故障していない４つの表示装置１０４、１０５、１０７、１０８に表示できるように、全体画像Ｄ００を縮小する。
【００４０】
表示データ送信部１４は、表示改変部１３によってステップＳ８において選択されたパターンに応じて、全体画像Ｄ０１を構成する部分画像ｄ１〜ｄ６を、対応する表示装置１０４〜１０９にそれぞれ表示させる（Ｓ９）。また、表示データ送信部１４は、表示領域ｄ１１、ｄ１２に表示させるデータを、表示装置１０１、１０２へ送信する。
【００４１】
本実施形態では、表示データ送信部１４は、表示装置１０１、１０２の表示領域ｄ１１、ｄ１２に補足情報を表示させる。補足情報は、動画、静止画、テキスト、またはその組み合わせであってよい。あるいは、補足情報は、広告、ニュース、気象情報、またはテレビ番組であってもよい。表示データ送信部１４は、ユーザに対して、補足情報の内容を決定または選択することを求めてもよい。
【００４２】
図６は、マルチディスプレイ１００に表示された全体画像Ｄ０１の一例を示す。図６において、補足情報は、隣接する部分画像ｄ１、ｄ２と同じ色の単色画像である。「故障」と記載された表示装置１０３は、実際には何も表示していない。
【００４３】
図２において、部分画像ｄ１〜ｄ６は表示装置１０１〜１０６に表示されている。一方、図６において、部分画像ｄ１〜ｄ６は、表示装置１０４〜１０９に表示されている。すなわち、マルチディスプレイ１００において、重要度の高い部分画像ｄ１〜ｄ６が表示される位置が下がっている。これにより、重要度の高い部分画像ｄ３が表示されないことが回避される。
【００４４】
一定時間が経過した後、フローはステップＳ１に戻る。このようにして、表示制御装置１０は、上述したステップＳ１〜Ｓ９の処理を、一定時間ごとに繰り返す。
【００４５】
（本実施形態の効果）
本実施形態の構成によれば、マルチディスプレイを構成する一部の表示装置が故障した場合、表示できない部分画像のグループを、マルチディスプレイ内で移動させることによって、表示できる部分画像の重要度の合計値が最大になるように、全体画像を改変する。これにより、マルチディスプレイが重要な情報を提示できなくなることを防止することができる。
【００４６】
〔実施形態２〕
本実施形態では、前記実施形態１で説明した構成をより一般化した構成を説明する。本実施形態に係わるマルチディスプレイシステムの構成は、前記実施形態１に係わるマルチディスプレイシステム１（図１）の構成と同じである。
【００４７】
図７は、本実施形態に係わるマルチディスプレイ１００が表示する全体画像Ｅ００を示す。全体画像Ｅ００は、例えばフライト発着表である。フライト発着表では、通常、発着時刻の早い便の情報ほど上側にあるため、全体画像Ｅ００において、上側に表示される部分画像ほど、有用な情報を含む。したがって、本実施形態では、重要度設定部１２は、全体画像Ｅ００において、上側に表示される部分画像ほど、重要度を高く設定する。
【００４８】
図８は、全体画像Ｅ００を構成する各部分画像ｅ１〜ｅ９の重要度を示す。本実施形態では、重要度設定部１２は、図７に示す全体画像Ｅ００において、部分画像ｅ１〜ｅ３には、重要度「高」を設定する。重要度設定部１２は、全体画像Ｅ００において、部分画像ｅ４〜ｅ６には、重要度「高」または「低」を設定する。また、重要度設定部１２は、全体画像Ｅ００において、部分画像ｅ７〜ｅ９には、重要度「低」を設定する。
【００４９】
故障検知部１１は、前記実施形態１と同様に、表示装置１０３が故障したことを検知したとする。この場合、表示装置１０３が表示できない部分画像ｅ３の重要度は「高」であるため、表示改変部１３は、以下で説明するように、全体画像Ｅ００を改変する。
【００５０】
（部分画像ｅ４〜ｅ６の重要度が「高」である場合）
部分画像ｅ４〜ｅ６の重要度が「高」である場合、部分画像ｅ１〜ｅ６は、同じ重要度「高」を有する一つのグループを構成する。この場合、表示改変部１３は、同じグループに属する部分画像ｅ１〜ｅ６のうちの一部のみが表示されなくなることがないように、重要度「高」のグループに属する部分画像ｅ１〜ｅ６をまとめて、マルチディスプレイ１００内で移動させる。そして、表示改変部１３は、マルチディスプレイ１００内に表示されている部分画像の重要度の合計値が最も高くなるような全体画像を生成する。図９の左側に示す全体画像Ｅ０１は、部分画像の重要度の合計値が最も高くなるパターンのうちの一つである。
【００５１】
（部分画像ｅ４〜ｅ６の重要度が「低」である場合）
部分画像ｅ４〜ｅ６の重要度が「低」である場合、部分画像ｅ１〜ｅ３が、同じ重要度「高」を有する一つのグループを構成する。この場合、表示改変部１３は、同じグループに属する部分画像ｅ１〜ｅ３のうちの一部のみが表示されなくなることがないように、重要度「高」のグループに属する部分画像ｅ１〜ｅ３をまとめて、マルチディスプレイ１００内で移動させる。そして、表示改変部１３は、マルチディスプレイ１００内に表示されている部分画像の重要度の合計値が最も高くなるような全体画像を生成する。図９の右側に示す全体画像Ｅ０２は、部分画像の重要度の合計値が最も高くなるパターンのうちの一つである。
【００５２】
このように、本実施形態では、表示改変部１３が、部分画像ｅ４〜ｅ６の重要度に応じて、全体画像Ｅ００を異なるパターンに改変する。
【００５３】
（本実施形態の効果）
本実施形態の構成によれば、同じ重要度を有するグループに属する部分画像をまとめて、全体画像を改変する。これにより、改変された全体画像において、同じグループに属する部分画像の位置関係が崩れることがない。また、同じ重要度を有するグループに属する部分画像の一部のみが表示されなくなることもない。
【００５４】
〔実施形態３〕
図１０を参照して、他の実施形態について説明する。
【００５５】
（表示制御装置４０）
図１０は、本実施形態に係わる表示制御装置４０の構成を示すブロック図である。図１０に示すように、表示制御装置４０は、重要度設定部４１と、故障検知部４２と、表示改変部４３とを備えている。表示制御装置４０は、複数の表示装置で構成されるマルチディスプレイを制御する。
【００５６】
重要度設定部４１は、複数の表示装置の各々が表示する画像の重要度を設定する。重要度は、例えば、「高」レベルと「低」レベルの２段階で表される。
【００５７】
故障検知部４２は、複数の表示装置が故障したことを検知する。故障検知部４２は、各表示装置のヘルスチェックを行うことによって、各表示装置が故障したかどうかをそれぞれ判定する。
【００５８】
表示改変部４３は、マルチディスプレイの一部の表示装置が故障したことを故障検知部４２が検知した場合、重要度設定部４１が設定した画像の重要度に応じて、故障していない表示装置が表示する画像を改変する。具体的には、表示改変部４３は、重要度の高い画像を優先的に表示させる。そのために必要であれば、表示改変部４３は、重要度の低い画像を、重要度の低い画像に置換する。
【００５９】
（本実施形態の効果）
本実施形態の構成によれば、マルチディスプレイの一部の表示装置が故障した場合、画像の重要度に応じて、故障していない表示装置が表示する画像を改変する。これにより、マルチディスプレイを構成する一部の表示装置が故障した場合に、重要な情報を提示できなくなることを防止することができる。
【００６０】
〔実施形態４〕
本開示の各実施形態において、各装置の各構成要素は、機能単位のブロックを示している。各装置の各構成要素の一部又は全部は、例えば図１１に示すような情報処理装置９００とプログラムとの任意の組み合わせにより実現される。図１１は、各装置の各構成要素を実現する情報処理装置９００のハードウェア構成の一例を示すブロック図である。
【００６１】
図１１に示すように、情報処理装置９００は、一例として、以下のような構成を含む。
【００６２】
・ＣＰＵ（Ｃｅｎｔｒａｌ  Ｐｒｏｃｅｓｓｉｎｇ  Ｕｎｉｔ）９０１
・ＲＯＭ（Ｒｅａｄ  Ｏｎｌｙ  Ｍｅｍｏｒｙ）９０２
・ＲＡＭ（Ｒａｎｄｏｍ  Ａｃｃｅｓｓ  Ｍｅｍｏｒｙ）９０３
・ＲＡＭ９０３にロードされるプログラム９０４
・プログラム９０４を格納する記憶装置９０５
・記録媒体９０６の読み書きを行うドライブ装置９０７
・通信ネットワーク９０９と接続する通信インタフェース９０８
・データの入出力を行う入出力インタフェース９１０
・各構成要素を接続するバス９１１
各実施形態における各装置の各構成要素は、これらの機能を実現するプログラム９０４をＣＰＵ９０１が取得して実行することで実現される。各装置の各構成要素の機能を実現するプログラム９０４は、例えば、予め記憶装置９０５やＲＯＭ９０２に格納されており、必要に応じてＣＰＵ９０１がＲＡＭ９０３にロードして実行される。なお、プログラム９０４は、通信ネットワーク９０９を介してＣＰＵ９０１に供給されてもよいし、予め記録媒体９０６に格納されており、ドライブ装置９０７が当該プログラムを読み出してＣＰＵ９０１に供給してもよい。
【００６３】
（本実施形態の効果）
本実施形態の構成によれば、前記のいずれかの実施形態において説明した装置が、ハードウェアとして実現される。したがって、前記のいずれかの実施形態において説明した効果と同様の効果を奏することができる。
【符号の説明】
【００６４】
１  マルチディスプレイシステム
１０  表示制御装置
１１  故障検知部
１２  重要度設定部
１３  表示改変部
４０  表示制御装置
４１  重要度設定部
４２  故障検知部
４３  表示改変部
１００  マルチディスプレイ
１０１〜１０９  表示装置
【図１】
2020013016.tif 000003
【図２】
2020013016.tif 000004
【図３】
2020013016.tif 000005
【図４】
2020013016.tif 000006
【図５】
2020013016.tif 000007
【図６】
2020013016.tif 000008
【図７】
2020013016.tif 000009
【図８】
2020013016.tif 000010
【図９】
2020013016.tif 000011
【図１０】
2020013016.tif 000012
【図１１】
2020013016.tif 000013
【図１２】
2020013016.tif 000014